(57)【要約】【課題】遠心力に基づきコアプレート片のかしめ部に生じる応力集中を低減し、回転強度を高めることが可能な回転電機のロータコアを提供する。【解決手段】ロータコアは、各コアプレート片３がレンガ状に積層されて構成され、積層方向で位置が一致した貫通孔６に永久磁石７が貫通するように埋設される。また、コアプレート片３に形成されたかしめ部１０の凸部１１及び凹部１２の嵌め合いは、半径方向では締り嵌めで、円周方向では隙間ｄ２を存する隙間嵌めとなる。そして、永久磁石７の端面７ａと貫通孔６の側面６ａとの間の両側の隙間ｄ３の合計距離２・ｄ３を隙間ｄ２よりも小さくする。遠心力で重なり合うコアプレート片３同士が離れようとする際、凸部１１及び凹部１２が当接するよりも先に永久磁石７とコアプレート片３とが当接し、かしめ部１０に発生する遠心力に基づく応力が低減される。【選択図】図６
2012110163.tif 000002
【特許請求の範囲】
【請求項１】
円環状のコアプレートが複数積層されて構成されていると共に、前記コアプレートを均等に分割した円弧状のコアプレート片が連結されて前記コアプレートの一層が形成され、かつ前記コアプレート片が連結される継ぎ目の円周方向の位置が所定層数ごとに交互に異なるように構成された回転電機のロータコアであって、
前記コアプレート片は、複数形成された貫通孔を有し、前記貫通孔の位置が、積層方向に重なる前記コアプレート同士で一致することで、永久磁石が前記コアプレートを貫通するように埋設される磁石埋設部が構成される回転電機のロータコアにおいて、
前記コアプレート片は、積層方向一方側の面に形成された凸部と、他方側の面で前記凸部と同じ位置に形成され、前記コアプレート片が積層された際に前記他方側の面と接する他層のコアプレート片の凸部と嵌合する凹部と、を有するかしめ部を、前記コアプレートの円周方向に複数備え、前記かしめ部の凸部及び凹部の嵌め合いを、前記コアプレートの半径方向では締り嵌めとすると共に、前記コアプレートの円周方向では両側にそれぞれ第１距離の隙間を存する隙間嵌めとし、
前記永久磁石の前記円周方向の端面と前記貫通孔の側面との間に生じる前記円周方向の両側の隙間の合計である第２距離を、前記第１距離よりも小さくした、
ことを特徴とする回転電機のロータコア。
【請求項２】
前記貫通孔は、前記永久磁石の前記半径方向の内周側の端面と対向する内周面と、前記永久磁石の前記円周方向の端面と対向する側面と、前記内周面と前記側面とを繋ぐ内周側隅部と、を有し、前記内周側隅部が少なくとも前記内周面よりも内周側に凹む凹形状に形成された、
ことを特徴とする請求項１記載の回転電機のロータコア。
【発明の詳細な説明】
【技術分野】
【０００１】
本発明は、複数のコアプレートが積層されて構成された回転電機のロータコアに係り、詳しくは、それらコアプレートのそれぞれをコアプレート片を連結して構成すると共に各コアプレート片が他層のコアプレート片にかしめ部でかしめて構成した回転電機のロータコアに関する。
【背景技術】
【０００２】
一般に、渦電流の発生を低減するために電磁鋼板を打ち抜いたコアプレートを積層して形成された回転電機のロータコアが知られている。従来、このような複数のコアプレート（鉄心用抜き板９）を積層したロータコア（回転子鉄心８）において、コアプレート９にポンチによって円形のかしめ部１６を複数形成し、積層されたコアプレート同士をダボかしめによってかしめるものが案出されている（例えば、特許文献１参照）。
【０００３】
ところで、上記特許文献１のようにコアプレートを積層してロータコアを形成するには、複数のコアプレートが必要となるが、コアプレートの形状が円環形状であると、母材からコアプレートを打ち抜く際に円環の中心部を使用できず、歩留まりが低くなる。そのため、このコアプレートを複数の円弧状のコアプレート片を連結して形成すると共に、コアプレート片の継ぎ目の位置（円周方向の位相）がずれるようにコアプレートを積層して（いわゆるレンガ積み）、円周方向に複数形成された各コアプレート片のダボかしめ(かしめ部)同士をかしめて連結することで、ロータコアを形成することが考えられる。このようにコアプレート片をレンガ積みしてロータコアを形成すると共に、かしめ部によってコアプレート同士をかしめると、歩留まりが高く、かつ単体でその形状を保持可能なロータコアを形成することができる。
【先行技術文献】
【特許文献】
【０００４】
【特許文献１】特開２０１０−１４２１１４号公報
【発明の概要】
【発明が解決しようとする課題】
【０００５】
しかしながら、コアプレート片をレンガ積みしてロータコアを形成したものでは、ロータコアが回転した際に各コアプレート片のそれぞれに遠心力が作用するが、その遠心力の作用する方向がそれぞれ放射方向であるため、隣り合うコアプレート片が離れる方向として作用する。すると、それらコアプレート片を連結しているかしめ部に対して、上記遠心力に基づく応力集中が発生し易いという問題がある。
【０００６】
上記遠心力に基づく応力集中にも耐え得るかしめ部を構成するためには、かしめ部における噛み合い面積を増やすことが考えられる。即ち、円形のかしめ部の直径を大きくして円周方向の距離を大きくすることで上記噛み合い面積を増やすか、コアプレート片の肉厚を厚くしてかしめ部の厚み方向の距離を大きくすることで上記噛み合い面積を増やすことが考えられる。
【０００７】
しかしながら、かしめ部の直径を大きくすると、コアプレート片の半径方向の長さを大きくする必要が生じ、それによりロータコアの直径が大きくなって、モータ全体として大型化を招いてしまうという問題がある。また、コアプレート片の肉厚を厚くすると、上記渦電流が大きくなり、モータの効率が下がってしまうという問題がある。
【０００８】
そこで本発明は、遠心力に基づきコアプレート片のかしめ部に生じる応力集中を低減し、もって大型化の防止や回転電機の効率低下の防止を図ることが可能な回転電機のロータコアを提供することを目的とする。
【課題を解決するための手段】
【０００９】
本発明は（例えば図１乃至図６参照）、円環状のコアプレート（２）が複数積層されて構成されていると共に、前記コアプレート（２）を均等に分割した円弧状のコアプレート片（３）が連結されて前記コアプレート（２）の一層が形成され、かつ前記コアプレート片（３）が連結される継ぎ目（Ｄ１，Ｄ２）の円周方向の位置が所定層数ごとに交互に異なるように構成された回転電機のロータコア（１）であって、
前記コアプレート片（３）は、複数形成された貫通孔（６）を有し、前記貫通孔（６）の位置が、積層方向に重なる前記コアプレート（２）同士で一致することで、永久磁石（７）が前記コアプレート（２）を貫通するように埋設される磁石埋設部（６Ａ）が構成される回転電機のロータコア（１）において、
前記コアプレート片（３）は、積層方向一方側の面に形成された凸部（１１）と、他方側で前記凸部（１１）と同じ位置に形成され、前記コアプレート片（３）が積層された際に前記他方側の面と接する他層のコアプレート片（３）の凸部（１１）と嵌合する凹部（１２）と、を有するかしめ部（１０）を、前記コアプレート（２）の円周方向に複数備え、前記かしめ部（１０）の凸部（１１）及び凹部（１２）の嵌め合いを、前記コアプレート（２）の半径方向（Ｒ）では締り嵌めとすると共に、前記コアプレート（２）の円周方向（Ｃ）では両側にそれぞれ第１距離（ｄ２）の隙間を存する隙間嵌めとし、
前記永久磁石（７）の前記円周方向（Ｃ）の端面（７ａ）と前記貫通孔（６）の側面（６ａ）との間に生じる前記円周方向（Ｃ）の両側の隙間（ｄ３）の合計である第２距離（２・ｄ３）を、前記第１距離（ｄ２）よりも小さくしたことを特徴とする。
【００１０】
また、本発明は（例えば図６参照）、前記貫通孔（６）は、前記永久磁石（７）の前記半径方向（Ｒ）の内周側の端面（７ｃ）と対向する内周面（６ｃ）と、前記永久磁石（７）の前記円周方向（Ｃ）の端面（７ａ）と対向する側面（６ａ）と、前記内周面（６ｃ）と前記側面（６ａ）とを繋ぐ内周側隅部（６ｅ）と、を有し、前記内周側隅部（６ｅ）が少なくとも前記内周面（６ｃ）よりも内周側に凹む凹形状に形成されたことを特徴とする。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、かしめ部の凸部及び凹部の嵌め合いを、コアプレートの半径方向では締り嵌めとすると共に、コアプレートの円周方向では両側にそれぞれ第１距離の隙間を存する隙間嵌めとし、永久磁石の円周方向の端面とコアプレート片の貫通孔の側面との間に生じる円周方向の両側の隙間の合計である第２距離を第１距離よりも小さくしたので、ロータコアが回転し、コアプレート片が離れる方向に遠心力が作用した際に、かしめ部の隙間嵌め部分が当接するよりも先に永久磁石とコアプレート片とが当接し、該永久磁石があたかもピンのような役目をして、該永久磁石によって遠心力を受圧することができる。これにより、遠心力に基づきコアプレート片のかしめ部に生じる応力集中を低減することができ、かしめ部に締り嵌めによる残留応力と遠心力による応力との両方が作用することの防止を図ることができると共に、かしめ部における噛み合い面積を増やすことが不要となるので、ロータコアの大型化の防止や回転電機の効率低下の防止を図ることができる。また、特定のかしめ部（特に他層のコアプレートの継ぎ目に隣接するかしめ部）に応力が集中して発生することもないので、総じてロータコアの回転強度を高めることができる。
【００１３】
請求項２に係る本発明によると、コアプレート片の貫通孔における内周面と側面とを繋ぐ内周側隅部が、少なくとも該内周面よりも内周側に凹む凹形状に形成されているので、遠心力によってコアプレート片の貫通孔の側面に作用する永久磁石からの応力を、該内周側隅部の凹形状で分散することができる。これにより、コアプレート片における部分的な応力集中の発生を抑えることができ、さらにロータコアの回転強度を高めることができる。
【図面の簡単な説明】
【００１４】
【図１】本実施の形態に係るロータコアを示す模式図。
【図２】本実施の形態に係るコアプレート片を示す模式図。
【図３】本実施の形態に係るかしめ部の形状を説明する模式図であって、（ａ）かしめ部の平面図、（ｂ）かしめ部のＡ−Ａ断面図、（ｃ）かしめ部のＢ―Ｂ断面図。
【図４】本実施の形態に係るコアプレート片のかしめ部に掛る残留応力を説明する模式図であって、（ａ）コアプレート片を積層する前の状態を示す図、（ｂ）コアプレート片を積層した後の状態を示す図、（ｃ）図４（ｂ）の要部拡大図。
【図５】本実施の形態に係るコアプレート片のかしめ部に掛る遠心力に基づく応力を説明する模式図であって、（ａ）異なる層のコアプレート片に生じる遠心力を説明する模式図、（ｂ）図５（ａ）の要部拡大図。
【図６】コアプレート片の貫通孔と永久磁石との隙間及びかしめ部の隙間の関係を示す図で、（ａ）ロータコアの一部拡大図、（ｂ）かしめ部のＢ−Ｂ断面図。
【発明を実施するための形態】
【００１５】
以下、本発明の実施形態に係る回転電機のロータコアについて、図面に基づいて説明をする。なお、以下の説明中において、締り嵌めとは、嵌め合わす凸部の幅を凹部の幅よりも少し大きくした形式の嵌め合いのことを言い、隙間嵌めとは、凸部と凹部との間に所定の隙間を有した形式の嵌め合いのことを言う。
【００１６】
図１及び図２に示すように、ＩＰＭモータ（回転電機）用のロータコア１は、円環状のコアプレート２が複数積層されて形成されている。該コアプレート２は、電磁鋼板の母材から打ち抜かれた板状の部材であり、歩留まりの向上を図るために、該コアプレート２を均等に分割（本実施形態では５分割）した円弧状のコアプレート片３を連結して一層のコアプレート２が形成されている。
【００１７】
具体的には、このコアプレート片３の円周方向の一端部には、円周方向に隣接するコアプレート片３と連結するための突起部５ａが形成されていると共に、他端部には、上記コアプレート片３の突起部５ａが嵌め込まれる嵌め込み部５ｂが形成されている。１つのコアプレート２には、これらコアプレート片同士の継ぎ目Ｄ１，Ｄ２、即ち突起部５ａと嵌め込み部５ｂとの接合箇所がコアプレート片３の数と同数だけ形成されている。
【００１８】
上記コアプレート２は、どの層のコアプレート２も同じ形状のコアプレート片３を結合して円環状に形成されているが、積層方向に重なる（隣接する）コアプレート２に対してコアプレート片３の継ぎ目Ｄ１，Ｄ２の円周方向Ｃの位置（円周方向の位相）を交互にずらすレンガ積みによって積層されている。即ち、コアプレート２の継ぎ目Ｄ１，Ｄ２の位置が、積層方向に重なる前記コアプレート同士で交互に異なるように構成されている。例えば図１において、便宜的にロータコア１の底部から数えて積層されたコアプレート２を奇数層と、偶数層とに分けると、偶数層のコアプレート片３Ｅは、その端部位置（継ぎ目Ｄ１）が奇数層のコアプレート片３Ｏの端部位置（継ぎ目Ｄ２）に対して位置が所定角度ずれるように配設されている。
【００１９】
また、図２に示すように、上記コアプレート片３には、ネオジウム磁石などの希土類永久磁石７が槓子して嵌挿される貫通孔６と、積層された複数のコアプレート２同士を締結するかしめ部１０１〜１０８がその円周方向に複数(８箇所)形成されている。このかしめ部１０１〜１０８は、貫通孔６の両端部の内周側にそれぞれ設けられており、コアプレート２が仮組された後にこれらかしめ部１０１〜１０８をかしめることによって、図１に示すように、ロータコア１は、各コアプレート２がばらばらにならずに、その形状を保持できるようになっている。なお、以下の説明において、これら８箇所のかしめ部１０１〜１０８を区別する必要がない場合は、単に「かしめ部１０」という。
【００２０】
このように、各コアプレート片３がかしめられてロータコア１の形状が保持されると、各コアプレート片３に複数（４箇所）形成された貫通孔６が、積層方向に重なるコアプレート２同士で位置が一致することで、詳しくは後述する永久磁石７がコアプレート２を貫通するように埋設される磁石埋設部６Ａが構成される。
【００２１】
ついで、上記かしめ部１０について詳しく説明をする。図３(ｂ)及び(ｃ)に示すように、かしめ部１０は、プレス成型によってコアプレート片を一方側の面に突出させた凸部（ダボ）１１と、この凸部１１が形成されることにより、コアプレート片３の凸部１１の裏面（他方側の面の同じ位置）に形成される凹部１２と、から構成されており、この凹部１２に他のコアプレート片３の凸部１１が嵌合することによって、ダボかしめされるようになっている。
【００２２】
ところで、これら凸部１１及び凹部１２からなるかしめ部１０には、かしめられる際に発生する残留応力が作用する。該残留応力は、かしめ部１０が締り嵌めされることによって生じる応力であり、図４に示す互いに積層されるＡ〜Ｃ層ＬＡ，ＬＢ，ＬＣのコアプレート片３Ａ，３Ｂ，３Ｃを例に取って説明すると、かしめ部１０は、図３(ａ)に示す締り嵌めとなる部分１０ａにおいて、図３(ｂ)に示すように凸部１１の幅Ｗｒ２が締め代ｄ１分だけ凹部１２の幅Ｗｒ１よりも大きくなるように形成されている。
【００２３】
図４（ｂ）に示すように、コアプレート片３Ａ，３Ｂ，３Ｃは、凸部１１が締め代ｄ１分だけ幅狭な凹部１２に圧入されて締り嵌めされることによって、その積層方向に連結されるが、図４（ｃ）のコアプレート片３Ｂのように、凸部１１が他の層（Ｃ層ＬＣ）のコアプレート片３Ｃの凹部１２に圧入されると、圧入された凸部１１は、Ｃ層ＬＣの凹部１２の壁部１２ａから圧縮する方向（Ｃ層ＬＣの凹部からＢ層ＬＢの凸部１１に向かう方向）の応力Ｔｃを受ける。
【００２４】
一方、凹部１２に他の層（Ａ層ＬＡ）の凸部が圧入されると、その凹部１２には、Ａ層ＬＡの凸部１１の壁部１１ａから拡大する方向（Ａ層ＬＡの凸部１１からＢ層ＬＢの凹部１２向かう方向）に応力Ｔｔが作用する。そして、これら凸部１１及び凹部１２を接続するＢ層ＬＢの接続部Ｉでは、互いに反対方向に向かって働く上記応力Ｔｃ，Ｔｔが掛り、これら凸部側及び凹部側からの応力Ｔｃ，Ｔｔが釣り合って、上述した引っ張りの残留応力が発生する。
【００２５】
また、例えば『永久磁石７が貫通孔６（磁石埋設部６Ａ）に挿入されていない状態』として仮定すると、かしめ部１０には遠心力に基づき発生する応力の全てを受けることになる。具体的に、遠心力に基づく応力は、ロータコア１が回転することによってかしめ部１０に発生することになる。即ち、ロータコア１が回転すると、図５（ａ）に示すように、重なり合うコアプレート片３Ｅ，３Ｏのそれぞれには遠心力ＦＥ，ＦＯが作用する。
【００２６】
これら重なり合うコアプレート片３Ｅ，３Ｏに作用する遠心力ＦＥ，ＦＯを、コアプレート片３Ｅ，３Ｏの円周方向成分ＦＥＸ，ＦＯＸと半径方向成分ＦＥＹ，ＦＯＹとに分けて考えると、図５（ｂ）に示すように、半径方向成分ＦＥＹ，ＦＯＹは、どちらもコアプレート２の中心から外径側に向かう方向に作用するため、重なり合うコアプレート片３Ｅ，３Ｏ間で互いに反力を受けることができず、層の異なるコアプレート片３Ｅ，３Ｏ同士を連結するかしめ部１０には、ほとんど力が作用しない。
【００２７】
一方、遠心力ＦＥ，ＦＯの円周方向成分ＦＯＸ，ＦＥＸは、重なり合うコアプレート片３Ｅ，３Ｏ間でその作用方向が異なるため、これらコアプレート片３Ｅ，３Ｏを連結するかしめ部１０で互いに反力を受けることになってしまう。即ち、コアプレート片３Ｅの端部に形成されたかしめ部１０８に着目すると、重なり合うコアプレートが円周方向に沿って反対側に移動しようとすることによって、かしめ部１０８には、コアプレート２の円周方向に遠心力に基づく応力が発生することになる。なお、遠心力ＦＥ，ＦＯの半径方向成分ＦＥＹ，ＦＯＹは、その力をコアプレート２全体のかしめ部で分散して受けるが、特に他層のコアプレート片３の継ぎ目Ｄ１，Ｄ２の近くのかしめ部に大きな力が作用する。
【００２８】
そこで、かしめ部１０は、上述した図３(ａ)に示すように、これら遠心力に基づく応力と、引っ張りの残留応力とが同じ場所に生じないように構成されており、上記残留応力が生じる締り嵌めとなる部分１０ａと、隙間（第１距離）ｄ２を有して隙間嵌めとなる部分１０ｂと、が別々に分かれて構成されている。
【００２９】
具体的には、かしめ部１０は、凸部１１及び凹部１２のコアプレート２の円周方向（コアプレート片３の接線方向）Ｃの壁部１１ａ，１２ａを直線状に形成した直線部１０ａと、これら凸部１１及び凹部１２のコアプレート２の半径方向Ｒの壁部１１ｂ，１２ｂを所定の曲率の円弧状に形成した円弧部１０ｂと、を有し、上記直線部１０ａ間を円弧部１０ｂによって結んだ長円形状をしており、この直線部１０ａによってかしめ部１０の締り嵌めとなる部分を形成している。
【００３０】
即ち、かしめ部１０は、図３(ｃ)に示すように、直線形状の壁部１１ａ，１１ａ間の幅である凸部１１のコアプレート２の半径方向Ｒの幅Ｗｒ２を、直線状の壁部１２ａ，１２ａ間の幅である凹部１２のコアプレート２の半径方向Ｒの幅Ｗｒ１よりも大きくし（Ｗｒ２＞Ｗｒ１）、これら凸部１１及び凹部１２の半径方向Ｒの嵌め合いを締り嵌めとしている。
【００３１】
また、隣り合うコアプレート片３には、それぞれ円周方向に遠心力ＦＥ，ＦＯに基づく応力が作用するため(図５（ａ）参照)、上記円弧部１０ｂは、円弧形状の壁部１１ｂ，１２ｂ間に所定の隙間ｄ２を有する隙間嵌めとなっている。即ち、この円弧部１０ｂによりかしめ部１０の隙間嵌めとなる部分を形成しており、円弧状の壁部１１ｂ，１１ｂ間の幅に相当する凸部１１のコアプレート２の円周方向Ｃの幅Ｗｃ２が、円弧状の壁部１２ｂ，１２ｂ間の幅に相当する凹部１２のコアプレート２の円周方向の幅Ｗｃ１よりも小さくなっている（Ｗｃ１＞Ｗｃ２）。
【００３２】
なお、この隙間ｄ２は、詳しくは後述するように永久磁石７と貫通孔６との隙間ｄ３の２倍よりも大きく形成されているため、遠心力ＦＥ，ＦＯの円周方向成分ＦＥＸ，ＦＯＸがかしめ部１０の円弧部１０ｂに作用することはないが、『永久磁石７が貫通孔６（磁石埋設部６Ａ）に挿入されていない状態』として仮定すると、各かしめ部１０の円弧部１０ｂに遠心力ＦＥ，ＦＯの円周方向成分ＦＥＸ，ＦＯＸが作用することになる。
【００３３】
ついで、本発明に係る永久磁石７及び貫通孔６の構造について説明する。上述したようにコアプレート片３には永久磁石７が貫通して埋設される貫通孔６が形成されている。永久磁石７は、磁石埋設部６Ａに埋設される形状からなり、つまり断面が略々矩形状で、コアプレート２の積層方向に対して長い板状からなる。詳細には、図６（ａ）に示すように、永久磁石７は、コアプレート２の円周方向Ｃ両側の端面７ａと、コアプレート２の半径方向Ｒの外周側の端面７ｂと、コアプレート２の半径方向Ｒの内周側の端面７ｃと、端面７ａと端面７ｂとを繋ぐ傾斜面７ｄと、端面７ａと端面７ｃとを繋ぐ傾斜面７ｅと、によって囲まれた断面形状を有しており、特に外周側の端面７ｂは、僅かに外周側に膨らむ円弧状からなる。
【００３４】
貫通孔６は、上記永久磁石７の円周方向Ｃ両側の端面７ａにそれぞれ隙間ｄ３を存して対向する側面６ａと、上記永久磁石７の外周側の端面７ｂに対向する外周面６ｂと、上記永久磁石７の内周側の端面７ｃに密着する内周面６ｃと、上記永久磁石７の傾斜面７ｄに密着する押付面６ｄと、を有する略々矩形状からなる。また、側面６ａと内周面６ｃとを繋ぐ隅部分には、該内周面よりも半径方向Ｒの内周側に凹む凹形状に形成された内周側隅部６ｅを有している。
【００３５】
ついで、本発明の実施形態に係るロータコア１の作用について説明をする。作業者は、ロータコア１を作成するにあたり、図１に示すように、保持器（不図示）にコアプレート片３を環状に並べてコアプレート２を形成すると共に、このコアプレート上に次のコアプレート片３を積層して行く。この時、保持器はコアプレートの層が変わる度に所定角度だけ回転させられるため、上記コアプレート２は、積層方向に隣接するコアプレート２とコアプレート片３の継ぎ目Ｄ１，Ｄ２の位置が一層ずつ交互にずれるように積層される。また、このコアプレート２の層が変わる際にはプレスによってダボかしめされるため、積層されたコアプレート２が積層方向に連結される。そして、このコアプレート２が規定枚数積層されてロータコア１が形成される。
【００３６】
即ち、仮組されたコアプレート２がプレスされると、かしめ部１０の直線部１０ａが締り嵌めによって嵌合し、コアプレート片３を積層方向に連結すると共に、これら積層された複数のコアプレート２によって１つのロータコア１が形成される。
【００３７】
これにより、図６（ｂ）に示すように、コアプレート片３のかしめ部１０８の凹部１２には、他層のコアプレート片３のかしめ部１０４の凸部１１がかしめられ、さらに、そのかしめ部１０４の凹部１２には、他層のコアプレート片３のかしめ部１０８の凸部１１がかしめられ、さらに、そのかしめ部１０８の凹部１２には、他層のコアプレート片３のかしめ部１０４の凸部１１がかしめられ、・・・のようにかしめ部１０が多重にかしめられており、それらの凹部１２と凸部１１との円周方向Ｃの両側には、それぞれ隙間ｄ２が形成されている。
【００３８】
そして、作業者は、このロータコア１のそれぞれの磁石埋設部６Ａに、例えば接着剤等を表面に塗布した永久磁石７を挿入していく。すると、図６（ａ）に示すように、貫通孔６の押付面６ｄに傾斜面７ｄが密着すると共に、その傾斜方向に基づき、貫通孔６の内周面６ｃに永久磁石７の内周側の端面７ｃが押し付けられ、これによって、磁石埋設部６Ａに対して永久磁石７が嵌挿されて、埋設が完了する。このような磁石埋設部６Ａに対する永久磁石７の嵌挿が、全ての磁石埋設部６Ａに対して行われることで、ロータコア１が構成され、該ロータを組み込んで回転電機が作成される。
【００３９】
ところで、回転電機に電力が供給されて上記ロータが回転すると、上述したようにロータコア１のコアプレート片３には、それぞれロータの回転速度に応じた遠心力が発生する。この遠心力が発生すると、図５（ａ）に示すように、各コアプレート片３は、重なり合うコアプレート片３Ｏ，３Ｅがコアプレート２の円周方向Ｃに離れる方向（例えば、コアプレート片３Ｅの場合、図中Ｍ方向）に移動しようとする。
【００４０】
すると、永久磁石７に対してコアプレート片３Ｏ，３Ｅのそれぞれ貫通孔６が円周方向Ｃに離れる方向に相対移動するため、永久磁石７の端面７ａとコアプレート片３Ｅの貫通孔６の側面６ａとの間にある隙間ｄ３（図６（ａ）参照）が狭まって、該端面７ａと該側面６ａとが当接すると共に、永久磁石７の円周方向反対側の端面７ａとコアプレート片３Ｏの貫通孔６の側面６ａとの間にある隙間ｄ３（図６（ａ）参照）が狭まって、該端面７ａと該側面６ａとが当接することになる。
【００４１】
この際、図６（ｂ）に示すコアプレート片３Ｅのかしめ部１０８の凹部１２とコアプレート片３Ｏのかしめ部１０４の凸部１１との間に、或いは、コアプレート片３Ｏのかしめ部１０４の凹部１２とコアプレート片３Ｅのかしめ部１０８の凸部１１との間には、それぞれ隙間ｄ２が形成されており、この隙間（第１距離）ｄ２は、上記永久磁石７と貫通孔６との隙間ｄ３の２倍（第２距離）より大きく、言い換えると、隙間ｄ３の２倍（第２距離）が隙間（第１距離）ｄ２よりも小さく形成されている。このため、遠心力によって永久磁石７とコアプレート片３とが先に当接し、各かしめ部１０の凹部１２と凸部１１とにおける円弧部１０ｂの部分は永久磁石７とコアプレート片３とが当接した後に当接する。
【００４２】
従って、上述した例えば『永久磁石７が貫通孔６（磁石埋設部６Ａ）に挿入されていない状態』として仮定した際に、かしめ部１０の円弧部１０ｂに生じるはずの遠心力ＦＥ，ＦＯの円周方向成分ＦＥＸ，ＦＯＸは、永久磁石７の端面７ａとコアプレート片３の貫通孔６の側面６ａとの当接によって受圧され、各かしめ部１０の円弧部１０ｂには、遠心力ＦＥ，ＦＯの円周方向成分ＦＥＸ，ＦＯＸは軽減されて作用する。
【００４３】
また、上述したように遠心力ＦＥ，ＦＯの円周方向成分ＦＥＸ，ＦＯＸは、永久磁石７の端面７ａとコアプレート片３の貫通孔６の側面６ａとの当接によって受圧される。そのため、それぞれの側面６ａには円周方向成分ＦＥＸ，ＦＯＸが作用し、応力集中が発生することになる。ここで、該側面６ａの内周側にある内周側隅部６ｅは、内周側に凹む凹形状（Ｒ形状）となっているので、その曲面によって応力集中が分散され、しかも、内周側隅部６ｅは円周方向Ｃに凹むのではなく、内周面６ｃより半径方向Ｒの内周側に凹んでいるため、円周方向Ｃに作用する遠心力ＦＥ，ＦＯの円周方向成分ＦＥＸ，ＦＯＸと凹み方向が不一致となり、該遠心力が貫通孔６の内周面６ｃ側に向けて分散されて、側面６ａに対する応力集中が緩和される。
【００４４】
以上説明したように、かしめ部１０同士の凸部１１及び凹部１２の嵌め合いを、コアプレート２の半径方向Ｒでは締り嵌めとすると共に、コアプレート２の円周方向Ｃでは両側にそれぞれ第１距離の隙間ｄ２を存する隙間嵌めとし、永久磁石７の円周方向Ｃの端面７ａとコアプレート片３の貫通孔６の側面６ａとの間に生じる円周方向Ｃの両側の隙間ｄ３の合計である第２距離（２・ｄ３）を第１距離（ｄ２）よりも小さくしたので、ロータコア１が回転し、コアプレート片３が離れる方向に遠心力が作用した際に、かしめ部１０の隙間嵌め部分（円弧部１０ｂ）が当接するよりも先に永久磁石７とコアプレート片３とが当接し、該永久磁石７があたかもピンのような役目をして、該永久磁石７によって遠心力を受圧することができる。これにより、遠心力に基づきコアプレート片３のかしめ部１０に生じる応力集中を低減することができ、かしめ部１０に締り嵌めによる残留応力と遠心力による応力との両方が作用することの防止を図ることができると共に、かしめ部１０における噛み合い面積を増やすことが不要となるので、ロータコアの大型化の防止や回転電機の効率低下の防止を図ることができる。また、特定のかしめ部１０（特に他層のコアプレートの継ぎ目に隣接するかしめ部１０１，１０８）に応力が集中して発生することもないので、総じてロータコア１の回転強度を高めることができる。
【００４５】
また、コアプレート片３の貫通孔６における内周面６ｃと側面６ａとを繋ぐ内周側隅部６ｅが、少なくとも該内周面６ｃよりも内周側に凹む凹形状に形成されているので、遠心力によってコアプレート片３の貫通孔６の側面６ａに作用する永久磁石７からの応力を、該内周側隅部６ｅの凹形状で分散することができる。これにより、コアプレート片３における部分的な応力集中の発生を抑えることができ、さらにロータコア１の回転強度を高めることができる。
【００４６】
なお、本実施の形態においては、かしめ部１０(特にかしめ部１０４，１０５)を直線部１０ａと円弧部１０ｂとにより、円周方向に長い形状としたが、単純に円形状のものであってもよい。この際は、凸部１１の円周方向の円弧部分を削るか、凹部の円周方向の円弧部分を削るかして、隙間ｄ２を設けることが望ましい。
【００４７】
また、本実施の形態においては、コアプレート片３の継ぎ目Ｄ１，Ｄ２が一層ずつ交互に位置するようにレンガ状に積層したものを説明したが、これに限らず、複数層ずつで継ぎ目Ｄ１，Ｄ２が交互となるように積層しても構わず、つまり継ぎ目が所定層数（一層又は複数層）ごとに交互に異なるようにコアプレートを積層したものであれば本発明を適用し得る。
【符号の説明】
【００４８】
１    ロータコア
２    コアプレート
３    コアプレート片
６    貫通孔
６ａ    側面
６ｃ    内周面
６ｅ    内周側隅部
６Ａ    磁石埋設部
７    永久磁石
７ａ    円周方向の端面
７ｃ    内周側の端面
１０    かしめ部
１１    凸部
１２    凹部
Ｃ    円周方向
Ｄ１，Ｄ２    継ぎ目
Ｒ    半径方向
ｄ２    第１距離（隙間）
２・ｄ３    第２距離（隙間）
【図１】
2012110163.tif 000003
【図２】
2012110163.tif 000004
【図３】
2012110163.tif 000005
【図４】
2012110163.tif 000006
【図５】
2012110163.tif 000007
【図６】
2012110163.tif 000008